(57)【要約】【課題】合体状態を良好に維持することが可能な電線カバー及びコネクタを提供する。【解決手段】電線カバー２０は、ハウジング１０から引き出された電線９０を覆う第１カバー２１及び第２カバー２２を備える。第２カバー２２には、ロック部３３Ｄが設けられ、第１カバー２１には、第２カバー２２へ向けて突出し、ロック部３３Ｄを弾性的に係止する弾性ロック部５９Ｄが設けられる。第１カバー２１及び第２カバー２２におけるロック部３３Ｄ及び弾性ロック部５９Ｄが設けられる側と同じ側には、第２カバー２２から第１カバー２１側へ向けて突出するガイド部４８が設けられるとともに、第１カバー２１及び第２カバー２２の合体時に、第１カバー２１側においてガイド部４８を受けることにより、弾性ロック部５９Ｄがロック部３３Ｄから離脱する方向に弾性変形するのを規制するガイド受部７６が設けられている。【選択図】図５
2018113109.tif 000002
【特許請求の範囲】
【請求項１】
ハウジングの電線引出面から引き出された電線を覆うように合体される第１カバー及び第２カバーを備え、
前記第２カバーには、ロック部が設けられ、前記第１カバーには、前記第２カバーへ向けて突出し、前記ロック部を弾性的に係止することにより、前記第１カバー及び第２カバーを合体状態に保持する弾性ロック部が設けられ、さらに、
前記第１カバー及び第２カバーにおける前記ロック部及び前記弾性ロック部が設けられる側と同じ側には、前記第１カバー及び第２カバーの一方から他方へ向けて突出するガイド部が設けられるとともに、前記第１カバー及び第２カバーの合体時に、前記他方において前記ガイド部を受けることにより、前記弾性ロック部が前記ロック部から離脱する方向に弾性変形するのを規制するガイド受部が設けられていることを特徴とする電線カバー。
【請求項２】
前記ガイド部及び前記ガイド受部が、前記ロック部及び前記弾性ロック部を挟んだ両側に配置されている請求項１記載の電線カバー。
【請求項３】
前記ガイド受部が前記ガイド部を嵌合状態で受ける凹形状とされている請求項１又は２記載の電線カバー。
【請求項４】
前記第１カバー及び第２カバーが、前記電線引出面から引き出された電線を屈曲状態に配索する略Ｕ字形の屈曲部と、前記屈曲部から電線導出側の端部にかけて前記ハウジングと並んで配置される戻り配索部とを有し、
前記戻り配索部に、前記電線を外側から覆う外壁部が設けられ、前記ガイド部及び前記ガイド受部が前記外壁部に設けられている請求項１ないし３のいずれか１項記載の電線カバー。
【請求項５】
請求項１ないし４のいずれか１項記載の電線カバーが前記ハウジングに取り付けられてなることを特徴とするコネクタ。
【発明の詳細な説明】
【技術分野】
【０００１】
本発明は、電線カバー及びコネクタに関する。
【背景技術】
【０００２】
特許文献１に開示の電線カバーは、ハウジングから延出される電線群を覆うものであって、電線群が挿通されるコルゲートチューブを挟み込み且つ合体される第１の分割保持部及び第２の分割保持部を備えている。第１の分割保持部には、複数のロック突部が設けられ、第２の分割保持部には、各ロック突部と対応する位置に弾性ロック片が撓み可能に設けられている。各弾性ロック片にはロック孔が形成され、各ロック孔にそれぞれロック突部が嵌入されることにより、両分割保持部が合体状態に保持されるようになっている。
【０００３】
また、第２の分割保持部にはガイド部が突出して形成され、ガイド部がコルゲートチューブの外周の環状溝に差し込まれることで、第２の分割保持部がコルゲートチューブの軸方向に位置決めされる。
【先行技術文献】
【特許文献】
【０００４】
【特許文献１】特開２００５−２６０４８号公報
【発明の概要】
【発明が解決しようとする課題】
【０００５】
ところで、例えば、電群線がコルゲートチューブの軸方向と交差する方向に振動し、両分割保持部にコルゲートチューブを介して軸交差方向への外力が作用すると、各弾性ロック片が各ロック突部から離脱し、ロック状態が不用意に解除される懸念があった。その結果、両分割保持部の合体状態を良好に維持することができないおそれがあった。
【０００６】
本発明は上記のような事情に基づいて完成されたものであって、合体状態を良好に維持することが可能な電線カバー及びコネクタを提供することを目的とする。
【課題を解決するための手段】
【０００７】
本発明の電線カバーは、ハウジングの電線引出面から引き出された電線を覆うように合体される第１カバー及び第２カバーを備え、前記第２カバーには、ロック部が設けられ、前記第１カバーには、前記第２カバーへ向けて突出し、前記ロック部を弾性的に係止することにより、前記第１カバー及び第２カバーを合体状態に保持する弾性ロック部が設けられ、さらに、前記第１カバー及び第２カバーにおける前記ロック部及び前記弾性ロック部が設けられる側と同じ側には、前記第１カバー及び第２カバーの一方から他方へ向けて突出するガイド部が設けられるとともに、前記第１カバー及び第２カバーの合体時に、前記他方において前記ガイド部を受けることにより、前記弾性ロック部が前記ロック部から離脱する方向に弾性変形するのを規制するガイド受部が設けられているところに特徴を有する。
【発明の効果】
【０００８】
第１カバー及び第２カバーの合体時に、ガイド受部がガイド部を受けることにより、弾性ロック部がロック部から離脱する方向に弾性変形するのが規制されるため、電線が振動などして第１カバー及び第２カバーに外力が作用しても、弾性ロック部とロック部との係止状態が不用意に解除されることがなく、第１カバー及び第２カバーの合体状態を良好に維持することができる。
【図面の簡単な説明】
【０００９】
【図１】本発明の実施例１のコネクタにおいて、第１カバー、ハウジング及び第２カバーの分解正面図である。
【図２】ハウジングを間に挟んで合体状態にある第１カバー及び第２カバーの正面図である。
【図３】図２において、第１カバー及び第２カバーの前部側で横断した断面図である。
【図４】図２において、第１カバー及び第２カバーの後部側で横断した断面図である。
【図５】合体状態にある第１カバー及び第２カバーの側面図である。
【図６】ハウジングの後面から引き出される各電線が配索された第２カバーの底面図である。
【図７】第２カバーの側面図である。
【図８】第２カバーの断面図である。
【図９】第１カバーの平面図である。
【図１０】第１カバーの側面図である。
【図１１】第１カバーの断面図である。
【発明を実施するための形態】
【００１０】
本発明の好ましい実施形態を以下に示す。
前記ガイド部及び前記ガイド受部が、前記ロック部及び前記弾性ロック部を挟んだ両側に配置されているとよい。これによれば、弾性ロック部がロック部から離脱する方向に弾性変形するのがより確実に規制される。
【００１１】
前記ガイド受部が前記ガイド部を嵌合状態で受ける凹形状とされているとよい。これによれば、ガイド部がガイド受部に対して遊動するのが規制されるため、第１カバー及び第２カバーが外力を受けても合体方向と交差する方向に位置ずれしにくく、第１カバー及び第２カバーの合体状態をより良好に維持することができる。
【００１２】
前記第１カバー及び第２カバーが、前記電線引出面から引き出された電線を屈曲状態に配索する略Ｕ字形の屈曲部と、前記屈曲部から出口側の端部にかけて前記ハウジングと並んで配置される戻り配索部とを有し、前記戻り配索部に、前記電線を外側から覆う外壁部が設けられ、前記ガイド部及び前記ガイド受部が前記外壁部に設けられているとよい。これによれば、戻り配索部の外壁部に屈曲部で屈曲された電線の屈曲反力が作用するため、弾性ロック部がロック部から離脱する方向に弾性変形し易いという事情があり、本発明を適用して、第１カバー及び第２カバーの合体状態を良好に維持することのメリットが大となる。
【００１３】
また、上記構成の電線カバーが前記ハウジングに取り付けられてなるコネクタであるとよい。これによれば、電線カバー及びハウジングがコネクタとして構成される。
【００１４】
＜実施例１＞
以下、実施例１を図面に基づいて説明する。実施例１のコネクタは、ハウジング１０と、ハウジング１０に取り付けられる電線カバー２０とを備えている。ハウジング１０は、図示しない相手コネクタに嵌合可能とされている。なお、以下の説明において、前後方向については、嵌合開始時にハウジング１０が相手コネクタと向き合う面側を前側とし、上下方向については、図６及び図９を除く各図を基準とし、左右方向については、図１〜図４、図８、図９及び図１１を基準とする。
【００１５】
ハウジング１０は合成樹脂製であって、図１及び図３に示すように、ブロック状のハウジング本体１１と、ハウジング本体１１の外周を覆う筒状の嵌合筒部１２とを有している。ハウジング本体１１には、複数のキャビティ１３が左右一列に並んで設けられている。各キャビティ１３には、後方から図示しない端子金具が挿入されて収容される。各端子金具は電線９０の端末部に接続され、図６に示すように、各電線９０はハウジング本体１１の後面（電線引出面）から後方に引き出される。また、各電線９０の外周面にはゴム栓８０が嵌着されており、端子金具がキャビティ１３に挿入されるに従ってゴム栓８０がキャビティ１３の内周面に密着し、キャビティ１３内が液密にシールされる。図６に示すように、ハウジング本体１１の後端部は、嵌合筒部１２の後端より後方に突出しており、左右両側に、上下方向に延出する嵌合溝１４を有している。
【００１６】
電線カバー２０は合成樹脂製であって、図３に示すように、ハウジング１０を上下両側から挟み込んで合体される板状の第１カバー２１及び第２カバー２２を有している。合体状態にある第１カバー２１及び第２カバー２２の内部には、ハウジング本体１１の後面から引き出された各電線９０が被覆されて屈曲状態で配索される。
【００１７】
第２カバー２２は、電線カバー２０の上半部を構成し、第１カバー２１の上側に配置される。図１及び図６に示すように、第２カバー２２は、ハウジング１０の後端部に上方から装着される装着部２３と、装着部２３の後方に連なり各電線９０が導入される上側導入部２４と、上側導入部２４の側方（図６の右側方）に連なり各電線９０を屈曲させて前方へと反転させる上側屈曲部２５と、上側屈曲部２５の前方に連なり各電線９０を前後方向に配索して端部から前部外方へ導出する上側戻り配索部２６とを有している。装着部２３と上側戻り配索部２６とは、前後方向に沿ったスリット状の空間部２７を介して左右に横並びで配置されている。上側戻り配索部２６の前部は、装着部２３の前端よりも前方に突出しており、上側戻り配索部２６の前部後端と装着部２３の前端とは連結部２８を介して互いに連結されている。
【００１８】
装着部２３は、ハウジング本体１１の後端部を左右両側から覆う一対の上側被覆部２９を有し、図６に示すように、後部の左右両側で且つ両上側被覆部２９の内側に、上下方向に沿った仕切り部３１を有している。仕切り部３１と上側被覆部２９との間には、上下方向に延出して前方及び下方に開口するスリット状のガイド溝３２が設けられている。
【００１９】
上側被覆部２９の後部の左右両側には、一対の爪状のロック部３３Ａが突設されている。両ロック部３３Ａのうち、上側戻り配索部２６から遠い側のロック部３３Ａの前後両側には、上下方向に沿った一対のガイドリブ３４が配置されている。
【００２０】
図６に示すように、仕切り部３１の前端には、内側へ略直角に屈曲する形態の嵌合リブ３５が設けられている。嵌合リブ３５がハウジング１０の嵌合溝１４に嵌合状態で挿入されることにより、第２カバー２２がハウジング１０に対して前後方向に位置決めされるようになっている。
【００２１】
上側導入部２４は、平板状の幅広基部３６を有している。幅広基部３６の下面は、各電線９０を実質的に横一列で沿わせることが可能な電線沿わせ面３７とされている。電線沿わせ面３７は、後述する基部３９、傾斜基部４３及び突出基部５１の各下面にも連続して設けられる。幅広基部３６の左右両側からは側部３８が起立して設けられ、このうち、上側戻り配索部２６に近い側の側部３８は、後述する内側部４１として上側屈曲部２５との間に共用されている。
【００２２】
図６に示すように、上側屈曲部２５は、幅広基部３６に段差無く連なる幅広基部３６より幅狭の基部３９を有している。基部３９の前後両側からは内側部４１及び外側部４２が上側導入部２４の側部３８に連なるように起立して設けられている。内側部４１は、屈曲状態にある各電線９０の屈曲の内側を覆うように配置され、外側部４２は、屈曲状態にある各電線９０の屈曲の外側を覆うように配置される。外側部４２の外面の平坦部分には、爪状のロック部３３Ｂが突設されている。
【００２３】
内側部４１は、外側部４２よりも基部３９からの突出寸法が大きくなるように構成され、つまり、外側部４２よりも背が高くなるように構成されている。内側部４１の内面は、各電線９０が屈曲動作をガイドするように湾曲する曲面状をなしている。
【００２４】
上側屈曲部２５の内側には、各電線９０が上下に重なり合って高密度で配索される。しかし、内側部４１の背が高いことから、屈曲状態にある各電線９０が内側部４１を超えて浮いてしまう事態を防止することが可能となっている。
【００２５】
図５に示すように、上側戻り配索部２６は、基部３９から前方へ向けて上傾する傾斜基部４３を有している。各電線９０が基部３９から傾斜基部４３の電線沿わせ面３７にかけて傾斜して配索されることにより、上側屈曲部２５において屈曲状態にある各電線９０が内側部４１を超えて浮いてしまう事態をいっそう確実に防止することが可能となっている。
【００２６】
図６に示すように、傾斜基部４３の左右両側からは上側内壁部４４及び上側外壁部４５がそれぞれ内側部４１及び外側部４２に連なるように起立して設けられている。上側内壁部４４は、上側被覆部２９と空間部２７を介して対向する上下方向に沿った壁面に、爪状のロック部３３Ｃが突設されている。このロック部３３Ｃは、上側被覆部２９のロック部３３Ａより前方に位置ずれして配置されている。
【００２７】
上側外壁部４５の先端（下端）は、図７に示すように、外側部４２の下端から一段高い位置で前後方向に沿って配置される後方縁部４６と、後方縁部４６から一段高い位置で前後方向に沿って配置される前方縁部４７とを有し、後方縁部４６から前方縁部４７にかけて段付き状に連なる形態になっている。
【００２８】
上側外壁部４５の外面（各電線９０が配索される空間に臨む面とは反対側の面）は、前後方向及び上下方向に沿って配置され、前後略中央部に、爪状のロック部３３Ｄが突設されている。ロック部３３Ｄは、上側内壁部４４のロック部３３Ｃより後方で且つ上側被覆部２９のロック部３３Ａより前方に位置ずれして配置されている。また、ロック部３３Ｄは、下端が後方縁部４６に同一高さで連なり、下端から上方へ向けて次第に突出量を増加させる傾斜部分を有している。
【００２９】
上側外壁部４５の外面には、ロック部３３Ｄの前後両側に、一対のガイド部４８が設けられている。両ガイド部４８は、左右方向に薄肉で且つ側面視矩形状の板状をなし、上端部が上側外壁部４５の外面に扁平状に肉盛りされ、上端部から後方縁部４６及び前方縁部４７の下方に突出する形態になっている。両ガイド部４８の先端（下端）は、前後方向に沿って配置されている。前方縁部４７と後方縁部４６との間の段差に起因して、前方縁部４７から突出するガイド部４８の先端は、後方縁部４６から突出するガイド部４８の先端よりも上方に段違い状に位置している。
【００３０】
ガイド部４８は、上側外壁部４５よりも小さい板厚（左右方向の肉厚）であるものの、実質的に撓み変形しない剛性を有している。また、ガイド部４８は、先端へ向けて次第に左右方向の板厚を減じる形態とされ、外面に、先端へ向けて内側にテーパ状に傾斜する案内斜面４９を有している。
【００３１】
上側戻り配索部２６は、傾斜基部４３から端部にかけて同一高さで連なる突出基部５１を有している。上記した上側内壁部４４及び上側外壁部４５の前部は、突出基部５１の後部から起立する形態になっている。突出基部５１は、前後方向に細長い樋状をなし、左右両側が湾曲状に形成されている。各電線９０は、テープ巻きによって突出基部５１に固定されるようになっている。
【００３２】
第１カバー２１は、電線カバー２０の下半部を構成し、第２カバー２２の下側に配置される。図１及び図９に示すように、第１カバー２１は、ハウジング本体１１の後端部を下方から覆う下側被覆部５２と、下側被覆部５２の後方に連なり上側導入部２４に対向して配置される下側導入部５３と、下側導入部５３の側方（図９の左側方）に連なり上側屈曲部２５に対向して配置される下側屈曲部５４と、下側屈曲部５４の前方に連なり上側戻り配索部２６に対向して配置される下側戻り配索部５５とを有している。下側被覆部５２と下側戻り配索部５５とは左右に横並びで配置され、相互の前端同士がリブ状の繋ぎ部５６によって連結されている。
【００３３】
下側被覆部５２の左右両側は、ハウジング１０の左右両側の外周面に沿うように湾曲する形態とされ、このうち、下側戻り配索部５５に近い側が遠い側より前方へ突出しており、その前端部に繋ぎ部５６が連結されている。
【００３４】
図９及び図１１に示すように、下側被覆部５２の内面（上面）には、ハウジング本体１１の後端部を位置決めして嵌合可能な嵌合凹部５７が設けられ、嵌合凹部５７の左右両側に、一対のガイド突片５８が設けられている。両ガイド突片５８は、下側被覆部５２の内面から上方に突出する前後方向及び上下方向に沿った板片状をなしている。
【００３５】
下側被覆部５２の左右両端部には、一対の弾性ロック部５９Ａが上方に突出して設けられている。弾性ロック部５９Ａは、左右方向に薄肉で前後方向及び上下方向に沿った板片状の形態とされ、下端部を支点として撓み変形可能とされている。弾性ロック部５９Ａには、第１カバー２１及び第２カバー２２の合体時に、対応するロック部３３Ａを嵌合可能なロック孔６１が貫通して設けられている。ロック孔６１は、側面視において上下方向に長い矩形の開口形状をなし、上下方向に延出して下方に開口する形態とされている。弾性ロック部５９Ａは、ガイド突片５８より一回り大きくされ、ガイド突片５８と相互の板面を対向させつつほぼ平行に並んで配置されている。
【００３６】
下側導入部５３は、第１カバー２１及び第２カバー２２の合体時に、幅広基部３６とほぼ平行に対向する平板部６２を有している。平板部６２は、下側導入部５３、下側屈曲部５４及び下側戻り配索部５５にも連続して設けられ、実質的に段差無く配置されている。平板部６２の外側（下側戻り配索部５５から遠い側）からは側板部６３が小さく起立して設けられている。
【００３７】
下側屈曲部５４の平板部６２の内面（上面）には、下側戻り配索部５５寄りの内側に、周囲から一段落ちた凹状部６４を有している。第１カバー２１及び第２カバー２２の合体時に、凹状部６４の内側に、内側部４１の先端部（下端部）が嵌合されるようになっている。
【００３８】
図９に示すように、下側屈曲部５４の平板部６２の外側からは側板部６３と段差無く連続する連続側板部６５が起立して設けられている。連続側板部６５の外面には弾性ロック部５９Ｂが上方に突出して設けられている。弾性ロック部５９Ｂは、下側被覆部５２の弾性ロック部５９Ａと同様の形態であって、ロック孔６１が貫通する板片状をなし、撓み変形可能とされている。なお、下側戻り配索部５５の後述する弾性ロック部５９Ｃ、５９Ｄも下側被覆部５２の弾性ロック部５９Ａと同様の形態である。
【００３９】
下側戻り配索部５５の平板部６２は、前後方向に帯状に延出する形態とされ、左右両側から下側内壁部６６及び下側外壁部６７が起立して設けられている。下側内壁部６６及び下側外壁部６７は、左右方向に薄肉で前後方向及び上下方向に沿った板片状をなしている。
【００４０】
下側外壁部６７の上端面は、連続側板部６５の上端面に段付き状に連なって連続側板部６５の上端面より一段高い位置から前方へ向けて同一高さで配置される外後方端面６８と、外後方端面６８に段付き状に連なって外後方端面６８より一段高い位置から前方へ向けて同一高さで配置される外前方端面６９とからなる。第１カバー２１及び第２カバー２２の合体時に、外後方端面６８は上側外壁部４５の後方縁部４６に当接して配置され、外前方端面６９は上側外壁部４５の前方縁部４７に当接して配置される。
【００４１】
下側内壁部６６の上端面は、下側屈曲部５４の凹状部６４から前方へ向けて上傾する後方斜面７１と、後方斜面７１から前方へ向けて同一高さで配置される内前方端面７２とからなる。内前方端面７２と外後方端面６８とは上下方向に関して同じ高さに配置されている。
【００４２】
下側戻り配索部５５の前端の開口は、下側内壁部６６及び下側外壁部６７の両前端に一体に連結された閉塞壁７３によって閉塞されている。閉塞壁７３には、上方に突出する平板状の突片部７４が設けられている。第１カバー２１及び第２カバー２２の合体時に、突片部７４の先端部（上端部）が各電線９０に当接し、各電線９０を上側戻り配索部２６の電線沿わせ面３７に押し付けることが可能とされている。また、第１カバー２１及び第２カバー２２の合体時に、突片部７４が上側内壁部４４と上側外壁部４５との間に進入し、突片部７４の左右両端が上側内壁部４４及び上側外壁部４５に当接可能に配置されることにより、上側内壁部４４及び上側外壁部４５が内側に倒れることなく正規の直立姿勢になることが可能となっている。
【００４３】
下側内壁部６６には、下側被覆部５２との空間部２７を臨む面側に、弾性ロック部５９Ｃが上方に突出して設けられている。
下側外壁部６７の外面は、前後方向及び上下方向に沿って配置され、前後略中央部に、弾性ロック部５９Ｄを有している。弾性ロック部５９Ｄは、下端部が下側外壁部６７の外面に扁平状に肉盛りされ、下端部から外後方端面６８の上方に突出する形態になっている。この弾性ロック部５９Ｄは、下側内壁部６６の弾性ロック部５９Ｃより後方に位置ずれして配置されている。
【００４４】
また、下側外壁部６７の外面における弾性ロック部５９Ｄを挟んだ前後両側には、一対のガイド壁７５が設けられている。両ガイド壁７５は、下端部が下側外壁部６７の外面に扁平状に肉盛りされ、それぞれ下端部から外後方端面６８及び外前方端面６９の上方に突出する平板状の形態になっている。両ガイド壁７５は、実質的に撓み変形しない剛性を有している。外後方端面６８と外前方端面６９との間の段差に起因して、外前方端面６９から突出するガイド壁７５の先端（上端）は、外後方端面６８から突出するガイド壁７５の先端より上方に段違い状に位置している。第１カバー２１及び第２カバー２２の合体時に、両ガイド壁７５は、両ガイド部４８を外側から覆うように両ガイド部４８に当接可能に配置される。なお、ガイド壁７５の突出寸法及び前後幅寸法は、弾性ロック部５９Ｄの突出寸法及び前後幅寸法とほぼ同一とされている。
【００４５】
図９に示すように、下側外壁部６７の上端面には、弾性ロック部５９Ｄを挟んだ前後両側で且つ両ガイド壁７５の内側となる外後方端面６８及び外前方端面６９のそれぞれの位置に、一対のガイド受部７６が開口して設けられている。両ガイド受部７６は、両ガイド壁７５の内面に沿って前後方向に細長く延出する有底凹状をなしている。ガイド壁７５の内面には、上下方向に延出してガイド受部７６に段差無く連通する浅溝状の凹所８３が設けられている。第１カバー２１及び第２カバー２２の合体時には、両ガイド受部７６に対応するガイド部４８が適合して嵌合挿入されるようになっている。
【００４６】
次に、本実施例１の作用効果を説明する。
まず、第２カバー２２が上下反転させられ、装着部２３の嵌合リブ３５がハウジング１０の嵌合溝１４にスライド挿入され、第２カバー２２の装着部２３にハウジング１０が位置決め保持される（図６を参照）。このとき、ハウジング本体１１の後面から引き出される各電線９０は、上側導入部２４の幅広基部３６から基部３９を介して傾斜基部４３及び突出基部５１にかけて略Ｕ字形に配索される。各電線９０は、上側屈曲部２５において、配索方向が後方から前方へと反転させられ、内側部４１の内面に沿って回曲させられる。また、各電線９０は、傾斜基部４３に沿って配索されることによって内側部４１の起立方向と反対側へ向けて傾斜させられる。このため、各電線９０が高背の内側部４１を超えて浮いた状態になるのが防止される。
【００４７】
続いて、第１カバー２１が各電線９０を覆うようにして第２カバー２２に被せられる。第１カバー２１及び第２カバー２２の合体時には、第１カバー２１における側板部６３、凹状部６４、連続側板部６５、下側内壁部６６及び下側外壁部６７が、それぞれ、第２カバー２２における側部３８、内側部４１、外側部４２、上側内壁部４４及び上側外壁部４５に相互の先端同士を突き合わせて配置される。この場合に、屈曲状態にある各電線９０の浮きが内側部４１の高背化と傾斜基部４３の傾斜によって抑えられているため、第１カバー２１及び第２カバー２２の突き合わせの先端間に、各電線９０が噛み込むのを防止することが可能となっている。しかも、突片部７４が各電線９０を電線沿わせ面３７に押さえ付けることによって各電線９０の浮きがより確実に防止される。また、第１カバー２１及び第２カバー２２の合体時に、第１カバー２１の嵌合凹部５７にハウジング本体１１の後端部が嵌着される。
【００４８】
第１カバー２１及び第２カバー２２が合体される過程において、各弾性ロック部５９Ａ〜５９Ｄが対応するロック部３３Ａ〜３３Ｄを摺動して外側へ撓み変形させられる。また、第２カバー２２の両ガイド部４８が第１カバー２１の両ガイド壁７５の凹所８３を摺動し、第２カバー２２の上側外壁部４５が両ガイド壁７５と突片部７４との間に厚み方向に挟まれてガイドされる。これにより、第１カバー２１の組み付け動作もガイドされ、両ガイド部４８が対応するガイド受部７６へと案内斜面４９を介して円滑に挿入される。また、第１カバー２１のガイド突片５８が対応するガイド溝３２に適合して挿入される。
【００４９】
第１カバー２１及び第２カバー２２が合体されると、各弾性ロック部５９Ａ〜５９Ｄが弾性復帰するとともに、各ロック孔６１に対応するロック部３３Ａ〜３３Ｄが嵌り込んで係止される。また、下側外壁部６７及び上側外壁部４５に対応する側では、弾性ロック部５９Ｄがロック部３３Ｄに係止される部分を挟んで、両ガイド部４８が対応するガイド受部７６に正規深さで嵌合される（図３及び図４を参照）。これにより、第１カバー２１の下側外壁部６７と第２カバー２２の上側外壁部４５とが位置ずれせずに緊密に連結された状態になる。
【００５０】
仮に、各電線９０が振動などし、下側外壁部６７が外側に開くようにして、下側外壁部６７の弾性ロック部５９Ｄに、上側外壁部４５のロック部３３Ｄから外れる方向の外力が作用しても、その外力に抗するように、両ガイド部４８と両ガイド受部７６との凹凸嵌合状態が維持される。このため、下側外壁部６７が外側に開いて弾性ロック部５９Ｄとロック部３３Ｄとの係止状態が不用意に解除されることがなく、第１カバー２１及び第２カバー２２の合体状態を良好に維持することができる。
【００５１】
上記により、電線カバー２０がハウジング１０に取り付けられ、コネクタが構成されることになる。コネクタの後方スペースには各電線９０が配索されないため、コネクタが車両などの図示しない取付対象に取り付けられたときに、後方スペースに車両の壁面や部品などを配置することができる。また、図５に示すように、傾斜基部４３の傾斜を利用して閉塞壁７３の前方スペースに周辺部品１００を配置することもでき、スペース効率に優れる。
【００５２】
以上説明したように、本実施例１によれば、第１カバー２１及び第２カバー２２の合体時に、ガイド受部７６がガイド部４８を受けることにより、弾性ロック部５９Ｄがロック部３３Ｄから離脱する方向に弾性変形するのが規制されるため、第１カバー２１及び第２カバー２２に外力が作用しても、弾性ロック部５９Ｄとロック部３３Ｄとの係止状態が不用意に解除されることがなく、第１カバー２１及び第２カバー２２の合体状態を良好に維持することができる。
【００５３】
特に、本実施例１の場合、第１カバー２１及び第２カバー２２がハウジング本体１１の後面から引き出された各電線９０を屈曲状態に配索する略Ｕ字形の下側屈曲部５４及び上側屈曲部２５と、下側屈曲部５４及び上側屈曲部２５から出口側の端部にかけてハウジング１０と並列に配置される下側戻り配索部５５及び上側戻り配索部２６を有し、下側戻り配索部５５及び上側戻り配索部２６にそれぞれ各電線９０を外側から覆う下側外壁部６７及び上側外壁部４５が設けられていることから、下側外壁部６７及び上側外壁部４５に、下側屈曲部５４及び上側屈曲部２５において屈曲された各電線９０の反力が作用し、各電線９０が外側に振動したときに、下側外壁部６７及び上側外壁部４５が開き易いという事情がある。このため、下側外壁部６７及び上側外壁部４５に、それぞれガイド受部７６及びガイド部４８が設けられ、下側外壁部６７及び上側外壁部４５の開き変形を防止することができるメリットが大となる。
【００５４】
また、ガイド部４８及びガイド受部７６が、ロック部３３Ｄ及び弾性ロック部５９Ｄを挟んだ前後両側に配置されているため、弾性ロック部５９Ｄがロック部３３Ｄから離脱する方向に弾性変形するのがより確実に規制される。
【００５５】
さらに、ガイド受部７６がガイド部４８を嵌合状態で受ける凹形状とされているため、ガイド部４８がガイド受部７６に対して遊動するのが規制され、第１カバー２１及び第２カバー２２が外力を受けても合体方向と交差する方向によりいっそう位置ずれしにくくなる。
【００５６】
＜他の実施例＞
以下、他の実施例を簡単に説明する。
（１）上記実施例１とは逆に、ガイド部が第１カバーに設けられ、ガイド受部が第２カバーに設けられるものであってもよい。
（２）第１カバー及び第２カバーの少なくとも一方がハウジングに一体に設けられるものであってもよい。
（３）ガイド受部が無底の孔形状とされるものであってもよい。
（４）ガイド部及びガイド受部は、ロック部及び弾性ロック部が設けられる側と同じ側に設けられていればよく、ロック部及び弾性ロック部を挟んだ前後両側のうちの片側のみに設けられるものであってもよい。
【符号の説明】
【００５７】
１０…ハウジング
２０…電線カバー
２１…第１カバー
２２…第２カバー
２５…上側屈曲部（屈曲部）
２６…上側戻り配索部（戻り配索部）
３３Ｄ…ロック部
４５…上側外壁部（外壁部）
４８…ガイド部
５４…下側屈曲部（屈曲部）
５５…下側戻り配索部（戻り配索部）
５９Ｄ…弾性ロック部
６１…ロック孔
６７…下側外壁部（外壁部）
７６…ガイド受部
【図１】
2018113109.tif 000003
【図２】
2018113109.tif 000004
【図３】
2018113109.tif 000005
【図４】
2018113109.tif 000006
【図５】
2018113109.tif 000007
【図６】
2018113109.tif 000008
【図７】
2018113109.tif 000009
【図８】
2018113109.tif 000010
【図９】
2018113109.tif 000011
【図１０】
2018113109.tif 000012
【図１１】
2018113109.tif 000013